(57)【特許請求の範囲】
【請求項１】
単相３線式電路の引き込み線が接続される主幹漏電ブレーカと前記主幹漏電ブレーカの二次側電路に接続された複数の分岐ブレーカとが組み付けられ、特定の震度以上の地震を感知したらその後の所定のタイミングで前記主幹漏電ブレーカを遮断動作させる第１感震リレーを備えた感震遮断機能付分電盤であって、
所定の震度以上の地震を感知したら前記分岐ブレーカを即時或いは前記主幹漏電ブレーカより先に遮断させるための第２感震リレーを複数具備し、前記第２感震リレーは擬似漏電を発生させる擬似漏電出力部を有すると共に、少なくとも１つの前記第２感震リレーは他の第２感震リレーと異なる震度で擬似漏電を発生させ、
前記第２感震リレーの感震動作を受けて遮断動作する分岐ブレーカが分岐漏電ブレーカであることを特徴とする感震遮断機能付分電盤。
【請求項２】
単相３線式電路の引き込み線が接続される主幹漏電ブレーカと前記主幹漏電ブレーカの二次側電路に接続された複数の分岐ブレーカとが組み付けられ、特定の震度以上の地震を感知したらその後の所定のタイミングで前記主幹漏電ブレーカを遮断動作させる第１感震リレーを備えた感震遮断機能付分電盤であって、
所定の震度以上の地震を感知したら前記分岐ブレーカを即時或いは前記主幹漏電ブレーカより先に遮断させるための第２感震リレーを具備し、前記第２感震リレーは擬似漏電を発生させる擬似漏電出力部を有すると共に、前記第２感震リレーの感震動作を受けて遮断動作する分岐ブレーカが分岐漏電ブレーカであり、
更に前記分岐漏電ブレーカが３端子ブレーカであって、当該３端子ブレーカの一次側端子は単相３線式電路のそれぞれの相に接続される一方、二次側端子は３端子のうち２端子が分岐電路の接続に使用され、他の１端子に前記擬似漏電出力部が接続されて成ることを特徴とする感震遮断機能付分電盤。
【請求項３】
前記第２感震リレーの擬似漏電出力部が接続される前記分岐漏電ブレーカが３端子ブレーカであって、当該３端子ブレーカの一次側端子は単相３線式電路のそれぞれの相に接続される一方、二次側端子は３端子のうち２端子が分岐電路の接続に使用され、他の１端子に前記擬似漏電出力部が接続されて成ることを特徴とする請求項１記載の感震遮断機能付分電盤。
【発明の詳細な説明】
【技術分野】
【０００１】
本発明は、感震リレーを備えて地震が発生したらブレーカが遮断動作する感震遮断機能付分電盤に関する。
【背景技術】
【０００２】
従来の感震遮断機能を備えた分電盤は、地震を感知したら即時に遮断するものが主流であったが、即時遮断すると照明や電話器等の電源を必要とする機器も地震発生により即時に使えなくなるため、居住者が避難する際に使用する機器が使えなくなる問題があった。そのため、地震が発生したら即時に遮断するのではなく、地震発生後所定のタイミング、例えば停電になった時点で遮断動作させるコントロールユニット（感震リレー）を備えた分電盤が提案されている（例えば、特許文献１参照）。
一方で、感震機能を備えたブレーカが提案されている。例えば特許文献２では、タイマを内蔵して、地震を感知してから一定時間が経過したら遮断動作するブレーカが開示されている。
【先行技術文献】
【特許文献】
【０００３】
【特許文献１】特開平９−２１５１７８号公報
【特許文献２】特開平９−２３３６８２号公報
【発明の概要】
【発明が解決しようとする課題】
【０００４】
地震の発生直後ではなく、その後の所定のタイミングで遮断動作するよう構成された上記分電盤は、避難する際にまだ遮断しないよう構成でき、スムーズな避難が可能であった。しかしながら、電気機器の中には、地震が発生したら即時に電源を遮断するのが望ましいものがある。また、その中には比較的小さい揺れの場合でも遮断した方が良いものあれば、比較的小さい揺れの場合は即時に遮断しなくても良いものもある。
例えば、電気ストーブ等のように固定されておらず、地震により移動する可能性のある機器は、比較的小さな震度でも電源を遮断するのが望ましい。一方で、電気コンロ等のしっかりと固定されている電熱機器は比較的大きな震度でない限り遮断しなくても火災等の発生は考え難い。そのため、即時遮断する場合でも、震度を加味すれば更に利便性が高まる。
このような要求を満たすには、特許文献２に開示されているように個々の分岐ブレーカに感震機能を設ければ可能となるが、既存のブレーカが使えなくなるためコスト高なものになってしまう。
【０００５】
そこで、本発明はこのような問題点に鑑み、感震リレーを使用して地震が発生したら主幹漏電ブレーカを遅延遮断させる一方で、既存の分岐漏電ブレーカを即時遮断動作させることができる感震遮断機能付分電盤を提供することを目的としている。
【課題を解決するための手段】
【０００６】
上記課題を解決する為に、請求項１の発明は、単相３線式電路の引き込み線が接続される主幹漏電ブレーカと主幹漏電ブレーカの二次側電路に接続された複数の分岐ブレーカとが組み付けられ、特定の震度以上の地震を感知したらその後の所定のタイミングで主幹漏電ブレーカを遮断動作させる第１感震リレーを備えた感震遮断機能付分電盤であって、所定の震度以上の地震を感知したら分岐ブレーカを即時或いは主幹漏電ブレーカより先に遮断させるための第２感震リレーを複数具備し、第２感震リレーは擬似漏電を発生させる擬似漏電出力部を有すると共に、少なくとも１つの第２感震リレーは他の第２感震リレーと異なる震度で擬似漏電を発生させ、第２感震リレーの感震動作を受けて遮断動作する分岐ブレーカが分岐漏電ブレーカであることを特徴とする。
この構成によれば、第１感震リレーが地震を感知したら主幹漏電ブレーカが遅延遮断動作するし、第２感震リレーが地震を感知したら特定の分岐ブレーカが即時或いは主幹漏電ブレーカより先に遮断する。よって、早い遮断と遅延遮断の双方を実現でき、利便性と安全性を兼ね備えた遮断動作をさせることができる。また、早く遮断させる分岐ブレーカに既存の分岐漏電ブレーカを使用できるため、安価に構成できる。
加えて、早く遮断するよう設定された電気機器であっても、遮断震度を電気機器の種類に合わせて設定できるため、更に利便性がよい。
【０００７】
請求項２の発明は、単相３線式電路の引き込み線が接続される主幹漏電ブレーカと主幹漏電ブレーカの二次側電路に接続された複数の分岐ブレーカとが組み付けられ、特定の震度以上の地震を感知したらその後の所定のタイミングで主幹漏電ブレーカを遮断動作させる第１感震リレーを備えた感震遮断機能付分電盤であって、所定の震度以上の地震を感知したら分岐ブレーカを即時或いは主幹漏電ブレーカより先に遮断させるための第２感震リレーを具備し、第２感震リレーは擬似漏電を発生させる擬似漏電出力部を有すると共に、第２感震リレーの感震動作を受けて遮断動作する分岐ブレーカが分岐漏電ブレーカであり、更に分岐漏電ブレーカが３端子ブレーカであって、当該３端子ブレーカの一次側端子は単相３線式電路のそれぞれの相に接続される一方、二次側端子は３端子のうち２端子が分岐電路の接続に使用され、他の１端子に擬似漏電出力部が接続されて成ることを特徴とする。
この構成によれば、第１感震リレーが地震を感知したら主幹漏電ブレーカが遅延遮断動作するし、第２感震リレーが地震を感知したら特定の分岐ブレーカが即時或いは主幹漏電ブレーカより先に遮断する。よって、早い遮断と遅延遮断の双方を実現でき、利便性と安全性を兼ね備えた遮断動作をさせることができる。
加えて、第２感震リレーは分岐漏電ブレーカの端子に接続されるため、分岐電路に接続する必要が無く、別途端子台を設ける必要がない。
【０００８】
請求項３の発明は、請求項１に記載の構成において、第２感震リレーの擬似漏電出力部が接続される分岐漏電ブレーカが３端子ブレーカであって、当該３端子ブレーカの一次側端子は単相３線式電路のそれぞれの相に接続される一方、二次側端子は３端子のうち２端子が分岐電路の接続に使用され、他の１端子に擬似漏電出力部が接続されて成ることを特徴とする。
この構成によれば、第２感震リレーは分岐漏電ブレーカの端子に接続されるため、分岐電路に接続する必要が無く、別途端子台を設ける必要がない。
【発明の効果】
【０００９】
本発明によれば、第１感震リレーが地震を感知したら主幹漏電ブレーカが遅延遮断動作するし、第２感震リレーが地震を感知したら特定の分岐ブレーカが即時或いは主幹漏電ブレーカより先に遮断する。よって、早い遮断と遅延遮断の双方を実現でき、利便性と安全性を兼ね備えた遮断動作をさせることができる。また、早く遮断させる分岐ブレーカに既存の分岐漏電ブレーカを使用できるため、安価に構成できる。
【図面の簡単な説明】
【００１０】
【図１】本発明に係る感震遮断機能付分電盤の一例を示す構成説明図である。
【図２】感震リレーの回路ブロック図である。
【発明を実施するための形態】
【００１１】
以下、本発明を具体化した実施の形態を、図面を参照して詳細に説明する。図１は本発明に係る感震遮断機能付分電盤の一例を示す構成説明図であり、２本の電圧相Ｌ１，Ｌ２と中性線Ｎの３本から成る単相３線式電路（以下、単に「電路」とする。）Ａから複数の分岐電路を形成する分電盤１０を示している。図１において、１は漏電遮断機能を備えた主幹漏電ブレーカ（主幹ＥＬＢ）、２，３は分岐ブレーカ、４は第１感震リレー、５（５ａ、・・５ｎ）は第２感震リレーである。但し、分岐ブレーカ２は漏電遮断機能を持たない分岐ブレーカ、分岐ブレーカ３は漏電遮断機能を備えた分岐漏電ブレーカ（第１分岐ＥＬＢ３ａ、第２分岐ＥＬＢ３ｂ、・・・第ｎ分岐ＥＬＢ３ｎ）である。
【００１２】
主幹ＥＬＢ１の一次側には電路Ａの引き込み線（一次側電路Ａ１）が接続され、二次側の電路Ａ（二次側電路Ａ２）からは分岐ブレーカ２，３を介して複数の分岐電路Ｂ１，Ｂ２（Ｂ２ａ，Ｂ２ｂ・・Ｂ２ｎ）が形成されている。
そして、第１感震リレー４は主幹ＥＬＢ１を挟むように接続され、第２感震リレー５は分岐ＥＬＢ３を挟むように接続されている。
【００１３】
尚、分岐ＥＬＢ３は３端子型の漏電ブレーカであり、３本から成る二次側電路Ａ２のそれぞれに一次側の３端子が接続され、二次側の３端子のうち２端子が分岐電路Ｂ２に使用され、残りの１端子が第２感震リレー５に接続されている。尚、分岐ブレーカ２は２端子ブレーカであり、一次側は３本のうちの任意の２本に接続される（２００Ｖ出力か１００Ｖ出力かで選択される）。
【００１４】
図２は第１感震リレー４及び第２感震リレー５の回路ブロック図を示し、ここでは両者とも同一の構成となっている。地震を感知して揺れに応じた信号を出力する感震センサ４１、擬似漏電を出力する擬似漏電出力部４２、擬似漏電を出力するタイミング（遅延時間）を設定する時間設定部４３、擬似漏電を発生させる震度を設定する震度設定部４４、感震センサ４１からの揺れ情報を受けて震度を判定し、擬似漏電出力部４２を制御する感震リレーＣＰＵ４５等を備えている。
時間設定部４３は、例えば即時、１分、３分の３段階の設定が可能であり、震度設定部４４では例えば５弱、５強、６弱の３段階の設定が可能となっている。
【００１５】
感震リレー４，５は、具体的に以下の様に接続されている。図１に示すように、第１感震リレー４の擬似漏電出力部４２は、一次側電路Ａ１に接続線Ｓ１により接続されている。そして、擬似漏電を発生させるための入力線である接続線Ｓ２が二次側電路Ａ２の中性線Ｎに接続されており、第１感震リレー４は主幹ＥＬＢ１を挟むように接続されている。
この接続により、設定された震度以上の地震が発生したら、主幹ＥＬＢ１をバイパスするように接続線Ｓ２，Ｓ１を通じて電流（擬似漏電電流）が流れ、電路Ａにあたかも漏電が発生したように動作し、主幹ＥＬＢ１が遮断動作する。
【００１６】
一方、第２感震リレー５の擬似漏電出力部４２は、分岐電路Ｂ２に接続線Ｓ３により接続されている。そして、擬似漏電を発生させるための入力線である接続線Ｓ４が二次側電路Ａ２の中性線Ｎに接続されており、第２感震リレー５は分岐ＥＬＢ３を挟むように接続されている。
この接続により、設定された震度以上の地震が発生したら、分岐ＥＬＢ３をバイパスするように接続線Ｓ４，Ｓ３を通じて電流（擬似漏電電流）が流れ、分岐電路Ｂ２にあたかも漏電が発生したように動作し、分岐ＥＬＢ３が遮断動作する。
尚、感震リレー４，５は、共に主幹ＥＬＢ１の二次側の電路Ａ２から電源が供給される電源部（図示せず）を有しており、その中の中性線Ｎに接続された電源線が接続線Ｓ２，Ｓ４と兼用している。
【００１７】
上記の如く構成された感震遮断機能付分電盤の動作は、以下の様である。感震リレー４，５が上述したような設定内容の場合、第１感震リレー４は遅延動作するよう設定され、第２感震リレー５は即時動作するよう設定される。例えば、第１感震リレー４は設定時間（遅延時間）を３分、震度設定を例えば震度５強として使用され、第２感震リレー５は設定時間を即時、震度設定を震度５強を中心とした前後を含む震度設定で使用される。
そして、第２感震リレー５は、即時遮断する必要がある分岐電路の数に合わせて設置され、その分岐電路Ｂ２には分岐ブレーカに分岐ＥＬＢ３が使用される。
【００１８】
具体的に、例えば図１に示す第１分岐ＥＬＢ３ａにより分岐される分岐電路Ｂ２ａの先に、固定されていない電気ストーブ等の発熱する電気機器が接続されている場合は、接続される第２感震リレー５ａの設定震度を例えば５弱として、主幹ＥＬＢ１の設定震度より小さい震度とし、第２分岐ＥＬＢ３ｂにより分岐される分岐電路Ｂ２ｂの先に電気コンロ等のしっかりと固定されている電熱機器が接続されている場合は、接続される第２感震リレー５ｂの設定震度を例えば６弱として、主幹ＥＬＢ１の設定震度より大きな震度とすることができる。
【００１９】
このような設定により、地震が発生したら即時に、然も比較的小さい揺れでも遮断した方が良い電気機器が接続されている分岐電路Ｂ２ａは、主幹ＥＬＢ１より分岐ＥＬＢ３ａを小さい震度で遮断させることができ、安心でき好ましい。
一方で、地震が発生したら即時に遮断すべき電気機器があっても、固定されて安定した状態にある電熱機器が接続されている分岐電路Ｂ２ｂの場合は、比較的大きな揺れが発生しない限り主幹ＥＬＢ１の遅延遮断で対応すれば良く、頻繁な遮断動作を回避できる。
【００２０】
このように、第１感震リレー４が地震を感知したら主幹ＥＬＢ１が所定のタイミングで遅延遮断動作するし、第２感震リレー５が地震を感知したら特定の分岐ブレーカ３が即時遮断する。よって、即時遮断と遅延遮断の双方を実現でき、利便性と安全性を兼ね備えた遮断動作をさせることができる。また、即時遮断させる分岐ブレーカ３に既存の分岐ＥＬＢを使用できるし、擬似漏電出力部４２を１つ備えた感震リレー４，５も低コストで済むため、安価に構成できる。
更に、即時遮断するよう設定された電気機器であっても、電気機器の種類に合わせた震度で遮断できるため、更に利便性がよいし、第２感震リレー５は分岐ＥＬＢ３の端子に接続されるため、分岐電路Ｂ２に接続する必要が無く、別途端子台を設ける必要がない。
【００２１】
尚、上記実施形態では、３端子の漏電ブレーカを分岐ブレーカ３として使用しているが、２端子の漏電ブレーカであっても良く、その場合は、二次側の電圧相が分岐されて第２感震リレー５に接続される。
また、第２感震リレー５は地震を感知したら即時に擬似漏電を発生させているが、接続負荷によっては即時でなく主幹ＥＬＢ１より先に分岐ＥＬＢ３を遮断動作させれば良い場合もあり、そのような場合は例えば１分等遅延させても良い。
更に、第１感震リレー４と第２感震リレー５とを共に同一の構成としているが、分岐ＥＬＢ３を動作させる第２感震リレー５は時間設定部４３が無く固定設定としても良い。
また、第１感震リレー４或いは第２感震リレー５が接続されない分岐ブレーカを一律に漏電遮断機能を持たない分記ブレーカ２としたが、勿論分岐ＥＬＢ３を使用しても良い。
【符号の説明】
【００２２】
１・・主幹漏電ブレーカ、２・・分岐ブレーカ、３・・分岐漏電ブレーカ（分岐ブレーカ）、４・・第１感震リレー、５・・第２感震リレー、４１・・感震センサ、４２・・擬似漏電出力部、Ａ・・単相３線式電路。
【図１】
0006704282.tif 000002
【図２】
0006704282.tif 000003